(57)【特許請求の範囲】
【請求項１】
受け側機器の一部が導電性を有する受け側コネクタと接続して送電または電気信号を送信するケーブルの接続を確認するケーブル接続確認装置であって、
前記ケーブルが、
導電性を有する第１のコネクタ部と第２のコネクタ部とから構成され、前記受け側コネクタと接続するための供給側コネクタと、
前記第１のコネクタ部と接続される導電性の第１のシールド線と、
前記第２のコネクタ部と接続される導電性の第２のシールド線と、を備え、
前記第１および第２のシールド線と接続され前記第１のコネクタ部と前記第２のコネクタ部の抵抗値または接点を測定する検出手段と、
前記第１のシールド線と接続される第１のリレーと前記第２のシールド線の少なくとも一方接続される第２のリレーを制御して前記第１と第２のシールド線の少なくとも一方をアースと接続させるリレー駆動手段とを具備することを特徴とするケーブル接続確認装置。
【請求項２】
前記供給側コネクタは、
前記第１のコネクタ部と前記第２のコネクタ部とを絶縁する絶縁体を具備することを特徴とする請求項１記載のケーブル接続確認装置。
【発明の詳細な説明】
【技術分野】
【０００１】
本発明は、機器と電源コンセントや機器と機器の間を接続する、電源ケーブル、信号ケーブル、制御ケーブルなどの各種ケーブルの接続状態を確認するためのケーブル接続確認装置に関する。
【背景技術】
【０００２】
近年、電気・電子等機器と電源コンセントや機器と機器の間を接続する電源ケーブル、信号ケーブル、制御ケーブルなどの配線量は増加する傾向にある。
また、ＯＡ機器の普及に合わせて床下に配線を隠すことができるフリーアクセスの床も普及してきており、大量のケーブルを床下に配線するようになるにつれて、ケーブルの一端と他端を簡単に識別するのが困難になっている。
【０００３】
このケーブルは、電源や電気信号を供給する供給側機器に接続されているケーブルの一端に形成される供給側コネクタが、電源や電気信号の供給を受ける受け側機器に形成される受け側コネクタに接続することにより、供給側機器と受け側機器とを電気的に接続させる。
【０００４】
たとえば供給側コネクタに露出形成された供給側機器からの電源や電気信号を出力する複数の芯線の一部が、受け側コネクタに形成された所定の形状である複数の孔に挿入されることにより、供給側機器と受け側機器とが電気的に接続される。
【０００５】
図２は、上述のような従来の受け側機器と供給側機器とのケーブル接続関係の説明図であり、（Ａ）は全体構成図であり、（Ｂ）はケーブルのＡ−Ａ断面図である。
【０００６】
図２において、１は電源や電気信号を供給する供給側機器、２は機器と機器の間を電気的に接続するケーブル、３は電源や電気信号の供給を受ける受け側機器である。
【０００７】
ケーブル２は、主に、相互に電気的に絶縁されて形成され供給側機器と電気的に接続される複数の芯線２ａ、２ｂと、芯線２ａ、２ｂの周りを静電体などで覆って形成されアースと接続されるシールド線２ｃと、受け側機器３と電気的に接続するためのコネクタ部２ｄとから形成される。コネクタ部２ｄには、芯線２ａ、２ｄの一部が露出形成される。
【０００８】
受け側機器３には、供給側機器１と電気的に接続するためのコネクタ部３ａが形成される。この受け側機器３のコネクタ部３ａには所定の形状である複数の孔が形成される。
【０００９】
上述のような構成で、ケーブル２のコネクタ部２ａに露出形成された芯線２ａ、２ｂが挿入されることにより、供給側機器１と受け側機器３とがケーブル２により電気的に接続される。
【００１０】
この結果、ケーブル２の供給側コネクタ２ａと受け側機器３のコネクタ部３ａとが接続することにより、供給側機器と受け側機器とが電気的に接続される。
【００１１】
このような従来のケーブル接続に関連する先行技術文献として下記の特許文献がある。
【先行技術文献】
【特許文献】
【００１２】
【特許文献１】特開平５−３２２９５４号公報
【発明の概要】
【発明が解決しようとする課題】
【００１３】
しかしながら、従来のケーブル接続では、では以下のような問題点があった。
【００１４】
（１）
コネクタが接続（ケーブルが接続）されたかどうかが、供給側機器側では判断できないという問題点があった。
【００１５】
（２）
また、受け側機器がコネクタ形状などによって特定できる場合ではＬｏａｄ負荷・電圧・抵抗値などで判断できるが、この場合では内部の電気信号を測定する必要があり、電気信号を測定する際に信号線（芯線）に直接接続するので電気信号に影響を与えてしまうという問題点があった。
【００１６】
（３）
さらに、受け側機器が、コネクタ同形状のみで特定できない場合は供給側機器での判断条件が難しいという問題点があった。
【００１７】
本発明は上述の問題点を解決するものであり、その目的は、信号線には影響を与えずに、供給側機器にてコネクタの接続確認が出来るケーブル接続確認装置を実現することにある。
【課題を解決するための手段】
【００１８】
このような課題を達成するために、本発明のうち請求項１記載の発明は、
受け側機器の一部が導電性を有する受け側コネクタと接続して送電または電気信号を送信するケーブルの接続を確認するケーブル接続確認装置であって、
前記ケーブルが、
導電性を有する第１のコネクタ部と第２のコネクタ部とから構成され、前記受け側コネクタと接続するための供給側コネクタと、
前記第１のコネクタ部と接続される導電性の第１のシールド線と、
前記第２のコネクタ部と接続される導電性の第２のシールド線と、を備え、
前記第１および第２のシールド線と接続され前記第１のコネクタ部と前記第２のコネクタ部の抵抗値または接点を測定する検出手段と、
前記第１のシールド線と接続される第１のリレーと前記第２のシールド線の少なくとも一方接続される第２のリレーを制御して前記第１と第２のシールド線の少なくとも一方をアースと接続させるリレー駆動手段とを具備することを特徴とするケーブル接続確認装置である。
【００１９】
請求項２記載の発明は、請求項１記載のケーブル接続確認装置において、
前記供給側コネクタは、
前記第１のコネクタ部と前記第２のコネクタ部とを絶縁する絶縁体を具備することを特徴とする。
【発明の効果】
【００２１】
このように、本発明のケーブル接続確認装置によれば、導電性の第１のコネクタ部と第２のコネクタ部とから構成され受け側機器における導電性のコネクタである受け側コネクタと接続される供給側コネクタ、第１のコネクタ部と接続される導電性の第１のシールド線、第２のコネクタ部と接続される導電性の第２のシールド線から構成されるケーブルと、第１および第２のシールド線と接続され第１のコネクタ部と第２のコネクタ部の抵抗値または接点を測定する検出手段を具備することにより、内部の信号線（芯線）には影響を与えることなくケーブル接続（コネクタ接続）状態を知ることが出来る点で有効である。いいかえれば、電気信号内容が分からなくても問題になくケーブル接続（コネクタ接続）状態を知ることが出来る。
【００２２】
さらに、本発明のケーブル接続確認装置は、上述の構成に加えて第１のシールド線と接続される第１のリレーおよび／または第２のシールド線と接続される第２のリレーを制御して第１および／または第２のシールド線をアースと接続させるリレー駆動手段を具備することにより、ケーブル接続（コネクタ接続）された場合は、シールド線線としての効果は保たれる点でも有効である。
【図面の簡単な説明】
【００２３】
【図１】本発明に係るケーブル接続確認装置の一実施例を示す構成図である。
【図２】従来の受け側機器と供給側機器とのケーブル接続関係の説明図である。
【発明を実施するための形態】
【００２４】
本発明のケーブル接続確認装置の主な特徴は、供給側機器に接続されているケーブルの一端に形成されるコネクタがそれぞれ導電性の第１のコネクタ部と第２のコネクタ部とから構成される点、ケーブルが、主に第１のコネクタ部と接続される導電性の第１のシールド線と、第２のコネクタ部と接続される導電性の第２のシールド線とから構成される点、第１および第２のシールド線と接続され第１のコネクタ部と第２のコネクタ部の抵抗値または接点を測定する検出手段を具備する点等である。
以下、図面を用いて本発明のケーブル接続確認装置を説明する。
【００２５】
＜実施例１＞
図１は、本発明に係るケーブル接続確認装置の一実施例を示す構成図であり、図２と共通する部分には同一の符号を付けて適宜説明を省略する。また図１の（Ａ）は全体構成図であり、（Ｂ）はケーブルのＡ−Ａ断面図である。
【００２６】
（主な構成の説明）
図１において、４は電源や電気信号を供給する供給側機器、５は機器と機器の間を電気的に接続するケーブル、６は電源や電気信号の供給を受ける受け側機器である。
本発明に係るケーブル接続確認装置は、主に供給側機器４とケーブル５とから構成される。
【００２７】
ケーブル５は主に、信号線などの芯線５ａ、５ｂと、第１のシールド線５ｃと、第２のシールド線５ｄと、受け側機器６と電気的に接続するための供給側コネクタの一例であるコネクタ５ｅ（第１のコネクタ部５ｅ−１、第２のコネクタ部５ｅ−２）とから構成される。
ケーブル５の複数の芯線５ａ、５ｂは、相互に電気的に絶縁されて形成され供給側機器と電気的に接続される。
第１のシールド線５ｃは、芯線５ａ、５ｂの周りを導電体などで覆って形成され第１のコネクタ５ｅ−１と接続される。
第２のシールド線５ｄは、第１のシールド線５ｃを導電体などで覆って形成され第２のコネクタ５ｅ−２と接続される。
コネクタ５ｅは、導電性の第１のコネクタ部５ｅ−１と第２のコネクタ部５ｅ−２とから構成される。なおこのコネクタ５ｅは、第１のコネクタ部５ｅ−１と第２のコネクタ部５ｅ−２とを（電気的に）絶縁する（区画する）絶縁体を具備するものでもよい。またこのコネクタ５ｅには、芯線５ａ、５ｄの一部が露出形成される。
【００２８】
供給側機器４は、電源や電気信号を供給する機器であって、主に検出手段４ａと、第１のリレー４ｂと、接続される第２のリレー４ｃと、第１のリレー４ｂ及び／又は第２のリレー４ｃを駆動制御するリレー駆動手段４ｄとから構成される。また図示しない電源供給手段または電気信号送信手段などからも構成される。
【００２９】
供給側機器４の検出手段４ａは、ケーブル５の第１のシールド線５ｃおよび第２のシールド線５ｄと接続され、第１のコネクタ部５ｅ−１と第２のコネクタ部５ｅ−２の抵抗値または接点を測定する。
第１のリレー４ｂは、アースおよびリレー駆動手段４ｄと接続され、リレー駆動手段４ｄにより制御（リレー駆動）されてＯＮ状態になると第１のシールド線５ｃと接続され、リレー駆動手段４ｄにより制御されて（リレー駆動）ＯＦＦ状態になると第１のシールド線５ｃとの接続が解除される。すなわち第１のリレー４ｂがＯＮ状態となると第１のコネクタ部５ｅ−１は接地に落とされることとなる。
第２のリレー４ｃは、アースおよびリレー駆動手段４ｄと接続され、リレー駆動手段４ｄにより制御されて（リレー駆動）ＯＮ状態になると第２のシールド線５ｄと接続され、リレー駆動手段４ｄにより制御されて（リレー駆動）ＯＦＦ状態になると第２のシールド線５ｄとの接続が解除される。すなわち第２のリレー４ｃがＯＮ状態となると第２のコネクタ部５ｅ−２は接地に落とされることとなる。
リレー駆動手段４ｄは、第１のシールド線５ｃと接続される第１のリレー４ｂおよび／または第２のシールド線５ｄと接続される第２のリレー４ｃのＯＮ・ＯＦＦ状態を制御し、リレー駆動して第１のシールド線５ｃおよび／または第２のシールド線５ｄをアースと接続させる（設置させる）。
【００３０】
なお、リレー駆動手段４ｄは、検出手段４ａの内部に構成されるものでもよい。リレー駆動手段４ｄは、検出手段４ａで抵抗値測定または接点検出によりケーブル接続が確認されると、第１のリレー４ｂおよび／または第２のリレー４ｃのＯＮ・ＯＦＦ状態を制御し、リレー駆動して第１のシールド線５ｃおよび／または第２のシールド線５ｄをアースと接続させる（設置させる）。
【００３１】
受け側機器６は、供給側機器４と電気的に接続するための受け側コネクタの一例であって外周が導電体で構成されるコネクタ６ａが形成される。このコネクタ部６ａには所定の形状である複数の孔が形成され、ケーブル５のコネクタ部５ｅに露出形成された芯線５ａ、５ｂが挿入されることにより、供給側機器４と受け側機器６とがケーブル４により電気的に接続される。
なお受け側機器６のコネクタ６ａは外周が導電体で形成されると説明しているが、特にこれに限定するものではなく、コネクタ５ｅと接続する際に第１のコネクタ部５ｅ−１および第２のコネクタ部５ｅ−２とそれぞれ通電できるものであれば、コネクタ６ａの一部または全部が導電体で形成されるものであってもよい。
【００３２】
（作用・効果）
このような構成で本発明のケーブル接続確認装置は、受け側機器のコネクタ６ａにケーブル４のコネクタ５ｅに露出形成された芯線５ａ、５ｂが挿入されることにより、供給側機器４と受け側機器６とがケーブル５により電気的に接続される。
【００３３】
具体的には、供給側機器５のコネクタ５ｅが、受け側機器６のコネクタ６ａの導体部分（たとえば導体外周部分）に接続されることにより、受け側機器６のコネクタ６ａと供給側機器５の第１のコネクタ部５ｅ−１および第２のコネクタ部５ｅ−２とが導通する。
【００３４】
供給側機器４の検出手段４ａは、第１のコネクタ部５ｅ−１および第２のコネクタ部５ｅ−２の０Ωまたは接点検出を行なう。
たとえば、検出手段４ａで測定された抵抗値が略０Ωになる場合であれば、ケーブルが接続できていることが把握できる。
検出手段４ａは、抵抗値が大きい（∞）場合（Ｈｉインピーダンス）であれば、ケーブルが接続されていないものとして把握できる。
また検出手段４ａは、接点検出を行なって接点ＤＩ＝ＯＮ（Ｌａｗ電位）となれば、ケーブルが接続できていることが把握できる。
検出手段４ａは、接点ＤＩ＝ＯＦＦ（Ｈｉ電位）となればケーブルが接続されていないものとして把握できる。
【００３５】
一方、供給側機器４のリレー駆動手段４ｄは、コネクタ５ｅとコネクタ６ａのコネクタ接続後に、ケーブル４においては、第１のシールド線５ｃおよび／または第２のシールド線５ｄによるシールド効果（たとえば、信号の歪や干渉の原因となる外部からの電磁気干渉（EMI：電磁妨害）を防ぐ効果等）を発揮させるべく、第１のリレー４ｂおよび／または第２のリレー４ｃのＯＮ・ＯＦＦ状態を制御し、リレー駆動して第１のシールド線５ｃおよび／または第２のシールド５ｄをアースと接続させる（設置させる）。
【００３６】
ここでケーブル４におけるシールド効果は、コネクタ５ｅとコネクタ６とが接続されて電源または電気信号が流れる時のみ必要であるから、コネクタが接続されていない時は第１のコネクタ部５ｅ−１および第２のコネクタ部５ｅ−２がＯｐｅｎでも問題ない。
【００３７】
この結果、供給側機器５の第１のコネクタ部５ｅ−１および第２のコネクタ部５ｅ−２は、それぞれ第１のシールド線５ｃと第２のシールド線５ｄと接続されているため、検出手段４ａで第１のコネクタ部５ｅ−１および第２のコネクタ部５ｅ−２の０Ωまたは接点検出を行なうことにより、供給側にてコネクタ６ａとコネクタ５ｅとの接続を確認できる。
【００３８】
このように、本発明のケーブル接続確認装置は、導電性の第１のコネクタ部と第２のコネクタ部とから構成され受け側機器における導電性のコネクタである受け側コネクタと接続されるコネクタ、第１のコネクタ部と接続される導電性の第１のシールド線、第２のコネクタ部と接続される導電性の第２のシールド線から構成されるケーブルと、第１および第２のシールド線と接続され第１のコネクタ部と第２のコネクタ部の抵抗値または接点を測定する検出手段を具備することにより、内部の信号線（芯線）には影響を与えることなくケーブル接続（コネクタ接続）状態を知ることが出来る点で有効である。いいかえれば、電気信号内容が分からなくても問題になくケーブル接続（コネクタ接続）状態を知ることが出来る。
また本発明であれば、コネクタ部・シールド線を分割し接点検出として利用することにより、供給側にて接続確認が出来る。
【００３９】
また、本発明のケーブル接続確認装置は、導電性の第１のコネクタ部と第２のコネクタ部とから構成され受け側機器における導電性のコネクタである受け側コネクタと接続されるコネクタ、第１のコネクタ部と接続される導電性の第１のシールド線、第２のコネクタ部と接続される導電性の第２のシールド線から構成されるケーブルと、第１および第２のシールド線と接続され第１のコネクタ部と第２のコネクタ部の抵抗値または接点を測定する検出手段を具備することにより、受け側機器には、何も手を入れないままで供給側によるケーブル接続（コネクタ接続）確認が可能である点で有効である。
【００４０】
さらに、本発明のケーブル接続確認装置は、上述の構成に加えて第１のシールド線と接続される第１のリレーおよび／または第２のシールド線と接続される第２のリレーを制御して第１および／または第２のシールド線をアースと接続させるリレー駆動手段を具備することにより、ケーブル接続（コネクタ接続）された場合は、シールド線としての効果は保たれる点でも有効である。
【００４１】
また本発明のケーブル接続確認装置は、導電性の第１のコネクタ部と第２のコネクタ部とから構成され受け側機器における導電性のコネクタである受け側コネクタと接続されるコネクタ、第１のコネクタ部と接続される導電性の第１のシールド線、第２のコネクタ部と接続される導電性の第２のシールド線から構成されるケーブルと、第１および第２のシールド線と接続され第１のコネクタ部と第２のコネクタ部の抵抗値または接点を測定する検出手段を具備することにより、コネクタ接続された供給側機器と受け側機器との内部の電気信号にはケーブル接続（コネクタ接続）されていない（０Ω測定）・接点検出のみで電気信号が決まるため、検出手段は第１のシールド線及び第２のシールド線と接続したままでよい点でも有効である。
【００４２】
（その他の実施形態）
なお、本発明のケーブル接続確認装置は、ケーブルが信号線でも電源線でも通信線でも応用可能とするものでもよい。
すなわち本発明であれば、供給側機器にてケーブルの接続確認を調べたい場合には、本発明を応用すれば、全て供給側にて接続確認ができ、有効である。
【００４３】
また、本発明のケーブル接続確認装置は、受け側機器が、ある程度不特定なものであっても対応できるものでもよい。
【符号の説明】
【００４４】
４  供給側機器
４ａ  検出手段
４ｂ  リレー駆動手段
５  ケーブル
５ｃ  第１のシールド線
５ｄ  第２のシールド線
５ｅ  コネクタ（供給側コネクタ）
５ｅ−１  第１のコネクタ部
５ｅ−２  第２のコネクタ部
６  受け側機器
６ａ  コネクタ（受け側コネクタ）
【図１】
0005488891.tif 000002
【図２】
0005488891.tif 000003